(57)【要約】【課題】装置全体の制御を複雑化させることなく、液滴吐出装置の小型化や省電力化を実現でき、吸引孔の開閉状態を記録媒体の幅に合った適切な状態にすることができる吸引プラテン機構を提供する。【解決手段】本適用例に係る吸引プラテン機構２０は、記録媒体としての記録紙の搬送方向に配列された複数の吸引孔２２ｂからなる吸引孔列２２ｃが搬送方向と直交する幅方向に複数設けられたプラテン面２２ａを有するプラテン２２と、幅方向に移動可能な排紙ガイド部材２１ａ，２１ｂを有する幅調整ガイドとしての排紙ガイド２１と、吸引孔開閉部材としての吸引孔蓋２３と、排紙ガイド部材２１ａ，２１ｂの幅方向における移動に連動して吸引孔蓋２３を吸引孔列２２ｃを開閉する位置に移動させる開閉動作手段としての吸引孔蓋動作手段２４と、を備えている。【選択図】図４
2015131457.tif 000002
【特許請求の範囲】
【請求項１】
記録媒体の搬送方向に配列された複数の吸引孔からなる吸引孔列が前記搬送方向と直交する幅方向に複数設けられたプラテン面を有するプラテンと、
前記幅方向に移動可能なガイド部材を有する幅調整ガイドと、
吸引孔開閉部材と、
前記ガイド部材の前記幅方向における移動に連動して前記吸引孔開閉部材を前記吸引孔列を開閉する位置に移動させる開閉動作手段と、
を備えていることを特徴とする吸引プラテン機構。
【請求項２】
前記開閉動作手段は、前記幅方向において前記ガイド部材の位置よりも外側に位置する前記吸引孔列に対向して配置された前記吸引孔開閉部材を、前記吸引孔列を塞がない第１の位置から前記吸引孔列を塞ぐ第２の位置に移動させて前記吸引孔列を閉じることを特徴とする請求項１に記載の吸引プラテン機構。
【請求項３】
前記幅調整ガイドは、前記ガイド部材と一体に形成され、前記幅方向に配置された第１ラックと、前記第１ラックと係合する第１ピニオンとを含む第１ラックアンドピニオンを有し、
前記開閉動作手段は、前記吸引孔開閉部材と接触して前記吸引孔開閉部材を前記第１の位置から前記第２の位置に動かす開閉位置移動部材と、
前記第１ラックの前記幅方向の動きに連動して前記開閉位置移動部材を動かすガイド連動部と、
を備えることを特徴とする請求項１または２に記載の吸引プラテン機構。
【請求項４】
前記ガイド連動部は、前記開閉位置移動部材と一体に形成され、前記幅方向に配置された第２ラックと、前記第２ラックと係合する第２ピニオンとを含む第２ラックアンドピニオンと、
前記第１ラックの前記幅方向の移動量を前記第２ラックアンドピニオンに伝え、前記第１ラックと前記第２ラックとの動きを連動させる連動部材と、
を有することを特徴とする請求項３に記載の吸引プラテン機構。
【請求項５】
前記ガイド連動部は、前記幅方向に配置された軸と、前記軸に直交して前記吸引孔開閉部材に対応して配置された前記開閉位置移動部材であるカムとを含むカムシャフトと、
前記第１ラックの前記幅方向の動きを前記カムシャフトに伝達する連動部材と、
を有することを特徴とする請求項３に記載の吸引プラテン機構。
【請求項６】
前記連動部材が、ベルト部材であることを特徴とする請求項４または請求項５に記載の吸引プラテン機構。
【請求項７】
前記連動部材が、前記第１ラックと前記第２ラックとを連結する棒状部材であることを特徴とする請求項４に記載の吸引プラテン機構。
【請求項８】
前記開閉動作手段は、前記搬送方向に延在する前記吸引孔開閉部材の一方の端を中心として他方の端を前記第１の位置から前記第２の位置に回転移動させることを特徴とする請求項２乃至７のいずれか一項に記載の吸引プラテン機構。
【請求項９】
前記吸引孔開閉部材は、前記吸引孔列の複数の吸引孔を塞ぐための複数の凸部を有することを特徴とする請求項１乃至８のいずれか一項に記載の吸引プラテン機構。
【請求項１０】
前記吸引孔開閉部材は、前記プラテン面上を搬送可能な前記記録媒体の前記幅方向における最小幅の位置よりも外側に配置された吸引孔列毎に設けられており、
前記ガイド部材は、前記プラテン面上を搬送可能な前記記録媒体の前記幅方向における最小幅の位置から最大幅の位置まで移動可能であることを特徴とする請求項１乃至９のいずれか一項に記載の吸引プラテン機構。
【請求項１１】
前記幅調整ガイドは、前記プラテン面に対して前記記録媒体の前記搬送方向の下流に設けられていることを特徴とする請求項１乃至１０のいずれか一項に記載の吸引プラテン機構。
【請求項１２】
前記幅調整ガイドは、前記プラテン面に対して前記記録媒体の前記搬送方向の上流に設けられていることを特徴とする請求項１乃至１０のいずれか一項に記載の吸引プラテン機構。
【請求項１３】
請求項１乃至１２のいずれか一項に記載の吸引プラテン機構を有することを特徴とする液滴吐出装置。
【発明の詳細な説明】
【技術分野】
【０００１】
本発明は、吸引プラテン機構、及び当該吸引プラテン機構を備えた液滴吐出装置に関する。
【背景技術】
【０００２】
従来、液滴吐出装置においてプラテン面に記録媒体を密着させながら搬送するために、記録媒体を空気吸引によりプラテン面に密着させる吸引プラテンが知られている。吸引プラテンは、プラテン面に複数の吸引孔を設け、複数の吸引孔から空気を吸気ファンで外部に排気することで負圧を発生させて記録媒体をプラテン面に密着させる。
記録媒体によって塞がれず開放されている吸引孔がある場合、開放されている吸引孔から空気が吸引され、記録媒体に作用する吸引圧力が低下してしまう。そのため、記録媒体がプラテン面上から浮きあがり、液滴吐出ヘッドと記録媒体との間に適切なプラテンギャップを得ることができず印刷品質が低下することや、液滴吐出ヘッドに記録媒体が擦れてしまいインク汚れが発生するという問題があった。
【０００３】
そこで、例えば、特許文献１の液滴吐出装置における吸引プラテン機構は、プラテンの記録紙の搬送方向と直交する幅方向のほぼ中央に、格子状のリブにより区画された第１吸引領域を有しており、この第１吸引領域における格子状区画室の底部が第１吸引孔となっている。また、第１吸引孔とは異なる配置あるいは形状の第２吸引孔が形成された第２吸引領域を第１吸引領域の両側に有している。そして、吸引力の大きい第１吸引領域で記録紙の幅方向における中央部分を、第２吸引領域で記録紙の幅方向における両端部分を吸引するというものである。
【０００４】
また、例えば、特許文献２に記載されているように、搬送する記録紙に合わせて吸引孔の開閉状態の切り替えを行う開閉機構をプラテンと吸引機構との間に配設した印刷装置が提案されている。特許文献２の開閉機構は記録紙の搬送方向及び搬送方向と直交する幅方向とに配列された複数の吸引孔の列毎に吸引孔の開閉を行うシャッタープレートを有している。そして、センサーによって検出された記録紙の幅寸法及び記録媒体の搬送状態に合わせて、記録紙の搬送方向と幅方向とに配置されたそれぞれのシャッタープレートにより、複数の吸引孔の開閉状態を切り替えるものである。
【先行技術文献】
【特許文献】
【０００５】
【特許文献１】特開２０１０‐２０１６８３号公報
【特許文献２】特開２０１３‐４３３１３号公報
【発明の概要】
【発明が解決しようとする課題】
【０００６】
しかしながら、特許文献１に記載された吸引プラテン機構では、紙幅の小さい記録紙の吸引を行う場合、記録紙に覆われず開放されている第２吸引領域の吸引孔から空気の吸引が行われて吸引圧力を損失するので、十分な吸引圧が得られないおそれがある。そのため、記録紙がプラテン面から浮き上がってしまい、印刷品質が低下することや、液滴吐出ヘッドに記録紙が擦れてしまいインク汚れが発生するという課題があった。
【０００７】
また、特許文献２の印刷装置では、記録紙に合わせてすべての吸引孔の開閉状態を切り替えるため、搬送方向と幅方向とに配列されたシャッタープレートを有する開閉機構を配置するスペースをプラテンと吸引機構との間に設けなければならない。そのため、適用した液滴吐出装置の小型化が難しいという課題があった。
また、センサーによる記録紙の搬送状態の検出や搬送状態に応じてすべてのシャッタープレートの開閉状態を切り替えるためのモーター制御を液滴吐出装置全体の制御フローに加える必要がある。そのため、特許文献１のように吸引孔の開閉機構を持たない液滴吐出装置に比べて、装置全体の制御フローが複雑化することや消費電力が増加するという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係る吸引プラテン機構は、記録媒体の搬送方向に配列された複数の吸引孔からなる吸引孔列が前記搬送方向と直交する幅方向に複数設けられたプラテン面を有するプラテンと、前記幅方向に移動可能なガイド部材を有する幅調整ガイドと、吸引孔開閉部材と、前記ガイド部材の前記幅方向における移動に連動して前記吸引孔開閉部材を前記吸引孔列を開閉する位置に移動させる開閉動作手段と、を備えていることを特徴とする。
【００１０】
本適用例によれば、記録媒体の幅に合わせて動かすガイド部材の移動に連動して吸引孔開閉部材を移動させて吸引孔列の開閉を行うように構成したので、幅調整ガイドを記録媒体の幅に合わせるだけで、記録媒体に適した吸引孔の開閉状態にできる。
したがって、特許文献１に記載の吸引プラテン機構のように常に吸引孔が開放されることがなく、記録媒体の吸引に必要な部分の吸引孔列を開放させ、他の部分の吸引孔列を閉じることができるので、吸引圧力の損失を防ぐことができる。また、特許文献２に記載の開閉機構のようにすべての吸引孔の開閉状態を切り替える必要がないので、必要な部品点数を減らすことができ、吸引プラテン機構の小型化を実現することができる。
【００１１】
［適用例２］上記適用例に記載の吸引プラテン機構において、前記開閉動作手段は前記幅方向において前記ガイド部材の位置よりも外側に位置する前記吸引孔列に対向して配置された前記吸引孔開閉部材を、前記吸引孔列を塞がない第１の位置から前記吸引孔列を塞ぐ第２の位置に移動させて前記吸引孔列を閉じることが好ましい。
【００１２】
本適用例によれば、ガイド部材の幅方向の位置の外側にある吸引孔列に対応する吸引孔開閉部材を動作させ、吸引孔列を閉じるように構成したので、複数の吸引孔列を記録媒体の幅に合わせて適切に開閉することができる。
したがって、特許文献２に記載の開閉機構のように液滴吐出装置側で記録媒体の幅検出や記録媒体の幅に合わせた吸引孔の開閉状態を算出する必要がないため、それに係る消費電力を抑え、複数の吸引孔の開閉制御を簡素化することができる。
【００１３】
［適用例３］上記適用例に記載の吸引プラテン機構において、前記幅調整ガイドは、前記ガイド部材と一体に形成され、前記幅方向に配置された第１ラックと、前記第１ラックと係合する第１ピニオンとを含む第１ラックアンドピニオンを有し、前記開閉動作手段は、前記吸引孔開閉部材と接触して前記吸引孔開閉部材を前記第１の位置から前記第２の位置に動かす開閉位置移動部材と、前記第１ラックの前記幅方向の動きに連動して前記開閉位置移動部材を動かすガイド連動部と、を備えることが好ましい。
【００１４】
本適用例によれば、２つのガイド部材と一体に形成された第１ラックの幅方向の移動に連動してガイド連動部材により開閉位置移動部材を動かすように構成したので、簡素な構成の吸引プラテン機構を実現することができる。
【００１５】
［適用例４］上記適用例に記載の吸引プラテン機構において、前記ガイド連動部は、前記開閉位置移動部材と一体に形成され、前記幅方向に配置された第２ラックと、前記第２ラックと係合する第２ピニオンとを含む第２ラックアンドピニオンと、前記第１ラックの前記幅方向の移動量を前記第２ラックアンドピニオンに伝え、前記第１ラックと前記第２ラックとの動きを連動させる連動部材と、を有することが好ましい。
【００１６】
本適用例によれば、吸引孔の開閉を、２つのラックアンドピニオンを連動させて行うように構成したので、ユーザーがガイド部材を動かす時に加える力だけで吸引孔の開閉を行うことができる。
したがって、消費電力なしで記録媒体の幅に合った吸引孔の開閉状態に切り替えられる吸引プラテン機構を実現することができる。
【００１７】
［適用例５］上記適用例に記載の吸引プラテン機構において、前記ガイド連動部は、前記幅方向に配置された軸と、前記軸に直交して前記吸引孔開閉部材に対応して配置された前記開閉位置移動部材であるカムとを含むカムシャフトと、前記第１ラックの前記幅方向の動きを前記カムシャフトに伝達する連動部材と、を有することが好ましい。
【００１８】
本適用例によれば、吸引孔開閉部材毎に開閉位置移動部材であるカムを設けたカムシャフトを第１ラックの動きに応じて回転させ、吸引孔列の開閉を行うように構成した。そのため、搬送方向における開閉動作手段を配置するのに必要なスペースをより小さくすることができる。
【００１９】
［適用例６］上記適用例に記載の吸引プラテン機構において、前記連動部材が、ベルト部材であることが好ましい。
【００２０】
本適用例によれば、ベルト部材により第１ラックアンドピニオンと第２ラックアンドピニオン、または、第１ラックピニオンとカムシャフトとが連動するように構成したので、簡素な構成で幅調整ガイドと開閉動作手段とを連動させることができる。
【００２１】
［適用例７］上記適用例に記載の吸引プラテン機構において、前記連動部材が、前記第１ラックと前記第２ラックとを連結する棒状部材であることが好ましい。
【００２２】
本適用例によれば、第１ラックと第２ラックを直接棒状部材で連結するように構成したので、幅調整ガイドと開閉動作手段の連動に必要な部品点数をさらに少なくすることができる。
【００２３】
［適用例８］上記適用例に記載の吸引プラテン機構において、前記開閉動作手段は、前記搬送方向に延在する前記吸引孔開閉部材の一方の端を中心として他方の端を前記第１の位置から前記第２の位置に回転移動させることが好ましい。
【００２４】
本適用例によれば、吸引孔開閉部材を第１の位置に移動させるのに必要な開閉位置移動部材と吸引孔開閉部材との接触面積を減らすことができ、吸引プラテン機構の小型化を実現することができる。
【００２５】
［適用例９］上記適用例に記載の吸引プラテン機構において、前記吸引孔開閉部材は、前記吸引孔列の複数の吸引孔を塞ぐための複数の凸部を有することが好ましい。
【００２６】
本適用例によれば、吸引孔開閉部材に吸引孔を塞ぐ凸部を設けたので、より確実に吸引孔を閉じることができる。
【００２７】
［適用例１０］上記適用例に記載の吸引プラテン機構において、前記吸引孔開閉部材は、前記プラテン面上を搬送可能な前記記録媒体の前記幅方向における最小幅の位置よりも外側に配置された吸引孔列毎に設けられており、前記ガイド部材は、前記プラテン面上を搬送可能な前記記録媒体の前記幅方向における最小幅の位置から最大幅の位置まで移動可能であることが好ましい。
【００２８】
本適用例によれば、プラテン面上を搬送可能な最小幅の記録媒体が通過する領域に設けられた吸引孔列の開閉を行わなくてもよい。したがって、吸引圧力を低下させずに吸引孔の開閉に必要な部品点数を減らすことができる。
【００２９】
［適用例１１］上記適用例に記載の吸引プラテン機構において、前記幅調整ガイドは、前記プラテン面に対して前記記録媒体の前記搬送方向の下流に設けられていることが好ましい。
【００３０】
本適用例によれば、長尺の記録媒体が供給される液滴吐出装置に好適な吸引プラテン機構を提供できる。
【００３１】
［適用例１２］上記適用例に記載の吸引プラテン機構において、前記幅調整ガイドは、前記プラテン面に対して前記記録媒体の前記搬送方向の上流に設けられていることが好ましい。
【００３２】
本適用例によれば、枚葉の記録媒体が供給される液滴吐出装置に好適な吸引プラテン機構を提供できる。
【００３３】
［適用例１３］本適用例の液滴吐出装置は、上記適用例に記載の吸引プラテン機構を有していることを特徴とする。
【００３４】
本適用例によれば、小型で消費電力が小さく、優れた印刷品質を有する液滴吐出装置を提供することができる。
【図面の簡単な説明】
【００３５】
【図１】実施形態１に係るロール紙プリンターの外観斜視図。
【図２】実施形態１に係る開閉蓋を全開にした状態のロール紙プリンターの外観斜視図。
【図３】実施形態１に係るロール紙プリンターの内部構造を示す概略断面図。
【図４】実施形態１に係る吸引プラテン機構の上面図。
【図５】（ａ）は図４のＳ１−Ｓ１に沿った実施形態１に係る吸引プラテン機構の側面図、（ｂ）は図４のＳ２−Ｓ２に沿った実施形態１に係る吸引プラテン機構の側面図。
【図６】図４のＦ１−Ｆ１に沿った実施形態１に係る吸引プラテン機構の正面図。
【図７】（ａ）は最大幅の記録紙の搬送時における実施形態１に係る排紙ガイドの動作に伴う平カムの動作を示す図、（ｂ）は最小幅の記録紙の搬送時における実施形態１に係る排紙ガイドの動作に伴う平カムの動作を示す図。
【図８】（ａ）は開放状態の実施形態１に係る吸引孔蓋の開閉動作を示す図、（ｂ）は閉塞状態の実施形態１に係る吸引孔蓋の開閉動作を示す図。
【図９】実施形態２に係る吸引プラテン機構の上面図。
【図１０】（ａ）は図９のＳ３−Ｓ３に沿った実施形態２に係る吸引プラテン機構の側面図、（ｂ）は図９のＦ２−Ｆ２に沿った実施形態２に係る吸引プラテン機構の正面図。
【図１１】（ａ）は開放状態の実施形態２に係る吸引孔蓋の開閉動作を示す図、（ｂ）は閉塞状態の実施形態２に係る吸引孔蓋の開閉動作を示す図。
【図１２】（ａ）〜（ｄ）は図９の（１）〜（４）の位置に対応する実施形態２に係るカムの形状と動作を示す図。
【図１３】変形例１に係る吸引プラテン機構の上面図。
【発明を実施するための形態】
【００３６】
以下、本発明を適用した液滴吐出装置の実施形態について、図面を参照して説明する。なお、以下の各図においては、各層や各部材を認識可能な程度の大きさにするため、各層や各部材の尺度を実際とは異ならせしめている。
【００３７】
（実施形態１）
＜液滴吐出装置＞
本発明の吸引プラテン機構を適用した液滴吐出装置として、ロール紙プリンターを例に挙げて説明を行う。このロール紙プリンターは、例えば、ロール紙にインクジェット方式で印刷を行い、任意の長さにカットするラベルプリンターである。特に、排紙ガイドの動きに連動して吸引孔の開閉を行う吸引プラテン機構を備えており、ロール紙の供給を行う際に、排紙ガイドをロール紙の幅に合わせて動かすだけで吸引孔の開閉状態をロール紙の幅に適した状態にすることができる。
【００３８】
（全体構成）
図１は、実施形態１に係るロール紙プリンター１の外観斜視図であり、図２は開閉蓋３を全開にした状態のロール紙プリンター１の外観斜視図である。
【００３９】
図１に示すように、ロール紙プリンター１は、全体として直方体形状をしたプリンター本体２と、当該プリンター本体２の操作ボタンなどが設けられた前面に取り付けられた開閉蓋３とを有している。また、プリンター本体２の前面には所定幅の記録紙排出口４が形成されている。記録紙排出口４の下側には排紙ガイド２１が前方に突出しており、当該排紙ガイド２１の側方には蓋開閉レバー５が配置されている。プリンター本体２における排紙ガイド２１及び蓋開閉レバー５の下側には、ロール紙出し入れ用の矩形の開口部が形成されており、この開口部が開閉蓋３によって封鎖されている。
【００４０】
蓋開閉レバー５を操作すると開閉蓋３のロックが解除される。ロック解除後、排紙ガイド２１を前方に引くと図２に示すように、開閉蓋３が下端部を中心として前方に開き、開閉蓋３とともにプラテン２２がほぼ水平となるまで開く。そして、プラテン２２の上面に設けられたプラテン面２２ａが現れ、上記開口部からプリンター内部に形成されたロール紙収納部７に至る経路が開放状態となる。同時に、ロール紙収納部７から記録紙排出口４に至る記録紙搬送経路が開放状態となり、ロール紙の交換作業などを簡単に行うことができる。
【００４１】
図３は、ロール紙プリンター１の内部構造を示す概略断面図である。ロール紙プリンター１の内部には、プリンター本体フレーム６における幅方向の中央部分にロール紙収納部７が形成されている。ロール紙収納部７には、ロール紙８の中心軸がプリンター幅方向に向いた横置き状態で収納される。
【００４２】
ロール紙収納部７の上側には、プリンター本体フレーム６の上端にヘッドユニットフレーム９が水平に取り付けられている。ヘッドユニットフレーム９にはプリンター幅方向にキャリッジガイド軸１０が水平に架け渡されている。このキャリッジガイド軸１０に沿って、インクジェットヘッド１１が下向き状態で搭載されたキャリッジ１２がプリンター幅方向に往復移動可能になっている。キャリッジ１２は公知のキャリッジ搬送装置、例えばキャリッジモーター及びタイミングベルトを備えたキャリッジ搬送機構によって、プリンター幅方向に往復移動される。
【００４３】
インクジェットヘッド１１の下側にはプリンター前後方向に水平に伸びるプラテン２２が配置されている。プラテン２２には、インクジェットヘッド１１に一定のギャップで対峙しているプラテン面２２ａがプリンター幅方向に水平に設けられており、このプラテン面２２ａによってインクジェットヘッド１１の印刷位置が規定されている。また、プラテン２２は、ロール紙８の搬送方向における前方に設けられた排紙ガイド２１とタイミングベルト２５で連結されており、吸引プラテン機構２０を構成している。
【００４４】
プラテン２２の後端には、ロール紙収納部７から引き出される長尺状の記録紙８ａが架け渡されるテンションガイド１３が配置されている。テンションガイド１３は上方に付勢されており、ロール紙収納部７に収納されているロール紙８から引き出された記録紙８ａは、テンションガイド１３によって所定の張力が付与された状態で印刷を経由する記録紙搬送経路によって引き出される。
【００４５】
プラテン２２におけるテンションガイド１３よりも前側の位置には紙送りローラー１４がプリンター幅方向に水平に架け渡されている。紙送りローラー１４には、記録紙８ａを介して、ヘッドユニットフレーム９の側に取り付けられている紙押さえローラー１５が所定の押圧力で上側から押しつけられている。プラテン２２におけるプラテン面２２ａの前端側の部位には、前側紙送りローラー１６がプリンター幅方向に水平に架け渡されている。この前側紙送りローラー１６には記録紙８ａを介して、ヘッドユニットフレーム９の側に取り付けられている前側紙押さえローラー１７が上側から押しつけられている。
【００４６】
ロール紙収納部７に収納されているロール紙８から上方に引き出される記録紙８ａは、図３において太い一点鎖線で示す搬送経路Ａに沿って搬送される。搬送経路Ａは、繰り出しローラー１８と紙押さえローラー１９との間を介して上方に向かい、テンションガイド１３を経由して前方に屈曲した後、紙送りローラー１４と紙押さえローラー１５との間、インクジェットヘッド１１とプラテン面２２ａとの間、及び前側紙送りローラー１６と前側紙押さえローラー１７との間を通って、記録紙排出口４に至る。
【００４７】
ロール紙８から繰り出された記録紙８ａはプラテン面２２ａに吸引された状態で搬送されて印刷位置を通過する。印刷位置ではキャリッジ１２をキャリッジガイド軸１０に沿って往復移動させながら、キャリッジ１２に搭載されているインクジェットヘッド１１により印刷が行われる。記録紙８ａの幅方向への一連の行印刷が終了した後は、繰り出しローラー１８、紙送りローラー１４、及び前側紙送りローラー１６が同期して回転駆動されて所定ピッチだけ記録紙８ａが送り出される。この後に、次の行印刷が行われる。このように、記録紙８ａは、所定ピッチで間欠的に送り出されながらインクジェットヘッド１１によって印刷が施される。印刷後の記録紙８ａは、記録紙排出口４に配置されたオートカッターによって幅方向に切断されて排出される。
【００４８】
＜吸引プラテン機構＞
図４は、記録紙８ａをプラテン面２２ａに吸引するための吸引プラテン機構２０を示す上面図である。図５（ａ）は、図４のＳ１−Ｓ１線に沿った側面図である。図５（ｂ）は図４のＳ２−Ｓ２線に沿った側面図である。図６は、図４におけるＦ１−Ｆ１線に沿った正面図である。なお、図５（ａ）及び（ｂ）は、Ｓ１−Ｓ１線あるいはＳ２−Ｓ２線に沿った構成とこれに関連する構成とを含めた側面図である。また、図４に示す矢印Ｘは記録紙８ａの搬送方向を表し、矢印Ｙは記録紙８ａの幅方向を表す。以降、記録紙８ａの搬送方向をＸ方向、記録紙８ａの幅方向をＹ方向と呼ぶこととする。
まず、実施形態１に係るロール紙プリンター１が備える吸引プラテン機構２０の概略構成について説明する。
【００４９】
図４に示すように、吸引プラテン機構２０は、幅調整ガイドとしての排紙ガイド２１、プラテン２２、吸引孔蓋２３、吸引孔蓋動作手段２４、タイミングベルト２５などから構成されている。
図４に示すように、排紙ガイド２１は、ガイド部材としての左側排紙ガイド部材２１ａと右側排紙ガイド部材２１ｂ、第１ラックとしての左側排紙ラック２１ｃと右側排紙ラック２１ｄ、第１ピニオンとしての排紙ピニオン２１ｅ、などから構成される。また、排紙ガイド２１は、プラテン２２に対してＸ方向の下流側に配置されている。
【００５０】
左側排紙ガイド部材２１ａと右側排紙ガイド部材２１ｂとは、左側排紙ラック２１ｃと右側排紙ラック２１ｄのＹ方向における外側の端に一体に形成されている。左側排紙ラック２１ｃと右側排紙ラック２１ｄとは、ラック部分が排紙ピニオン２１ｅと係合するように挟んで配置され、第１ラックアンドピニオンとしてのラックアンドピニオン構造を構成している。また、左側排紙ガイド部材２１ａと右側排紙ガイド部材２１ｂとは、印刷可能な最大幅の記録紙８ｍａｘ（図７参照）のＹ方向の両端の位置から最小幅の記録紙８ｍｉｎ（図７参照）のＹ方向の両端の位置まで移動させることができる。以降、印刷可能な最大幅の記録紙のことを記録紙８ｍａｘ、最小幅の記録紙のことを記録紙８ｍｉｎと呼ぶこととする。また、記録紙８ａの両端とは、Ｙ方向（幅方向）における両端を指す。
【００５１】
図５（ａ）、（ｂ）に示すように、排紙ピニオン２１ｅは、鉛直下向きに延びた排紙回転軸２１ｆの上端に排紙回転軸２１ｆとともに回転可能に固定されている。また、排紙回転軸２１ｆの下端には排紙ピニオン２１ｅと同じ形状かつ大きさの排紙連動ギヤ２１ｇが排紙回転軸２１ｆとともに回転可能に固定されている。そのため、左側排紙ガイド部材２１ａあるいは右側排紙ガイド部材２１ｂがＹ方向に動かされると、排紙ピニオン２１ｅと排紙連動ギヤ２１ｇとが同期して回転する。
【００５２】
図４及び図５（ａ）、（ｂ）に示すように、プラテン２２は、Ｙ方向に長い扁平な直方体形状をしている。また、図４に示すように、プラテン２２の上面に設けられたプラテン面２２ａには、複数の吸引孔２２ｂ1〜２２ｂ32が設けられている。複数の吸引孔２２ｂ1〜２２ｂ32は、Ｘ方向に配列した複数（４個）の吸引孔を単位としてＹ方向に並行する複数の吸引孔列２２ｃに区分されている。
【００５３】
吸引孔２２ｂ1〜２２ｂ32は、プラテン２２内部に形成された吸引通路（図示省略）に連通している。プラテン２２の後端（Ｘ方向における上流側の端）は吸引通路に連通しており、吸引通路はプリンター本体フレーム６の背面板に取り付けられた吸引ファン（図示省略）の吸引孔に連通している。吸引ファンの排出口はプリンター後方に開口している。吸引ファンを駆動すると、各吸引孔２２ｂ1〜２２ｂ32からプラテン２２内部の吸引通路を介して空気が吸引される。吸引ファンによって形成されるこの吸引力によって、プラテン２２の上部を搬送される記録紙８ａがプラテン面２２ａに吸引されながら搬送される。
【００５４】
また、プラテン２２内部には、吸引孔開閉部材としての複数の吸引孔蓋２３を回転可能に固定するためにＹ方向に延びた吸引孔蓋固定軸２２ｄが架け渡されている。以降、吸引孔２２ｂ1〜２２ｂ32を総称する場合、吸引孔２２ｂと呼ぶこととする。
【００５５】
また、図４に示したＰ領域はインクジェットヘッド１１の印刷領域である。各吸引孔列２２ｃを構成する４つの吸引孔２２ｂのうち、内側に配置された２つの吸引孔２２ｂがＰ領域に対応して配置されており、その前後に配置された吸引孔２２ｂとともに吸引が行われることによって記録紙８ａの印刷部分をプラテン面２２ａに精度良く密着させる。
【００５６】
図４に示すように、吸引孔開閉部材としての吸引孔蓋２３は、記録紙８ｍｉｎ（図７参照）が通過する領域Ｍを除くＹ方向の両端側に配列された吸引孔列２２ｃに対して、左側吸引孔蓋２３ａ及び右側吸引孔蓋２３ｂが設けられている。左側吸引孔蓋２３ａは、左側排紙ガイド部材２１ａによって、右側吸引孔蓋２３ｂは、右側排紙ガイド部材２１ｂによって操作される吸引孔蓋である。
図５（ａ）、（ｂ）に示すように、左側吸引孔蓋２３ａは、吸引孔閉塞部２３ａ1、受動部２３ａ2、連結部２３ａ3からなる。右側吸引孔蓋２３ｂは、吸引孔閉塞部２３ｂ1、受動部２３ｂ2、連結部２３ｂ3からなる。
【００５７】
吸引孔閉塞部２３ａ1，２３ｂ1は、当該吸引孔蓋２３と対向して配置された吸引孔列２２ｃを塞ぐ面を有し、平板状の形状をしている。なお、図４に示すように、吸引孔列２２ｃを塞ぐ面は、一直線に配置された１列分の吸引孔列２２ｃを塞ぐ面積の面に限定されるものではなく、吸引孔２２ｂが千鳥状に配置された吸引孔列２２ｃなど吸引孔２２ｂの配置がまばらであってもそれを塞げる面積を有していればよい。
また、図５（ａ）、（ｂ）に示すように、吸引孔閉塞部２３ａ1，２３ｂ1は、吸引孔列２２ｃを塞ぐ面と対向する位置にある吸引孔２２ｂの位置に応じて円柱状の凸部２３ａ4，２３ｂ4が複数設けられている。なお、凸部２３ａ4，２３ｂ4は円柱状に限定されるものではなく、半球や円錐台、輪状など吸引孔２２ｂと吸引孔列２２ｃを塞ぐ面の隙間とを埋める形状であればよい。
【００５８】
受動部２３ａ2，２３ｂ2は、平板状の形状をしており、吸引孔蓋動作手段２４と接している。また、受動部２３ｂ2は、受動部２３ａ2よりも長く、吸引孔蓋動作手段２４よりもプラテン面２２ａに近い位置で連結部２３ｂ3と連結している。
【００５９】
連結部２３ａ3は、吸引孔閉塞部２３ａ1と受動部２３ａ2とを、連結部２３ｂ3は、吸引孔閉塞部２３ｂ1と受動部２３ｂ2とを略Ｖ字状に連結している。また、連結部２３ａ3、２３ｂ3は、略Ｖ字状の谷部分においてプラテン２２内部に設けられた吸引孔蓋固定軸２２ｄに沿ってＹ方向における吸引孔列２２ｃの位置毎に回転可能に固定されている。また、略Ｖ字状の連結部２３ａ3は、吸引孔閉塞部２３ａ1側の位置で、連結部２３ｂ3は、吸引孔閉塞部２３ｂ1側の位置で、バネなどの弾性部材２３ａ5，２３ｂ5を介してプラテン２２の内壁と接続されている。
【００６０】
図４に示すように、吸引孔蓋２３を開閉する開閉動作手段としての吸引孔蓋動作手段２４は、プラテン面２２ａに設けられた複数の吸引孔列２２ｃに対してＸ方向の下流側に配置されている。吸引孔蓋動作手段２４は、開閉位置移動部材としての左側平カム２４ａ及び右側平カム２４ｂと、第２ラックとしての左側開閉ラック２４ｃ及び右側開閉ラック２４ｄと、第２ピニオンとしての開閉ピニオン２４ｅとを含んで構成されている。
【００６１】
図６に示すように、左側平カム２４ａと右側平カム２４ｂとは、Ｘ方向の下流から見て四角錐台形状をしており、プラテン面２２ａのＹ方向における外側に鋭角部分を向け、左側開閉ラック２４ｃあるいは右側開閉ラック２４ｄの端に固定されている。また、左側平カム２４ａは、プラテン２２に設けられたすべての左側吸引孔蓋２３ａの受動部２３ａ2と接触できる長さを有している。また、右側平カム２４ｂは、プラテン２２に設けられたすべての右側吸引孔蓋２３ｂの受動部２３ｂ2と接触できる長さを有している。
【００６２】
図４に示すように、左側開閉ラック２４ｃと右側開閉ラック２４ｄとは、左側排紙ラック２１ｃ及び右側排紙ラック２１ｄと同様にラック部分が開閉ピニオン２４ｅを挟んで係合し、ガイド連動部の一例である第２ラックアンドピニオンとしてラックアンドピニオン構造を形成している。また、図５（ａ）、（ｂ）に示すように、開閉ピニオン２４ｅは、鉛直下向きに延びた開閉回転軸２４ｆの上端に開閉回転軸２４ｆとともに回転可能に固定されている。開閉ピニオン２４ｅは、排紙ピニオン２１ｅと同じ形状かつ同じ大きさである。また、開閉回転軸２４ｆの下端には開閉ピニオン２４ｅと同じ形状かつ大きさの開閉連動ギヤ２４ｇが開閉回転軸２４ｆとともに回転可能に固定されている。開閉連動ギヤ２４ｇと排紙連動ギヤ２１ｇとはタイミングベルト２５によって架け渡されている。そのため、排紙ピニオン２１ｅの回転に同期して排紙連動ギヤ２１ｇが回転すると、開閉連動ギヤ２４ｇが回転する。
【００６３】
連動部材であり、且つベルト部材としてのタイミングベルト２５は、排紙連動ギヤ２１ｇと開閉連動ギヤ２４ｇとに架け渡され、各連動ギヤが接続された排紙ガイド２１と吸引孔蓋動作手段２４との動作を連動させる。
【００６４】
なお、実施形態１では、排紙ピニオン２１ｅと、排紙連動ギヤ２１ｇと、開閉ピニオン２４ｅと、開閉連動ギヤ２４ｇと、が同じ形状かつ同じ大きさのギヤで構成されているとしたが、各ギヤの形状や大きさはこれに限定されるものではない。各ギヤの形状や大きさは、排紙ガイド部材２１ａ，２１ｂと平カム２４ａ，２４ｂとの動きを同期させられる組み合わせであればよい。例えば、排紙ピニオン２１ｅと開閉ピニオン２４ｅ、排紙連動ギヤ２１ｇと開閉連動ギヤ２４ｇとがそれぞれ同じ形状かつ大きさのギヤで構成されていてもよい。
【００６５】
次に図７、図８を参照して実施形態１に係るロール紙プリンター１の吸引プラテン機構２０における吸引孔列２２ｃの開閉動作の概略を説明する。
吸引プラテン機構２０における吸引孔列２２ｃの開閉は、排紙ガイド２１の動きに連動して左側平カム２４ａ及び右側平カム２４ｂをＹ方向に移動させ、左側吸引孔蓋２３ａの受動部２３ａ2あるいは右側吸引孔蓋２３ｂの受動部２３ｂ2を昇降させて行うものである。
【００６６】
まず、排紙ガイド２１の動きに伴う左側平カム２４ａ及び右側平カム２４ｂの移動の動作を説明する。
図７（ａ）は、排紙ガイド２１を記録紙８ｍａｘの幅に合わせた状態を表す図である。図７（ｂ）は、排紙ガイド２１を記録紙８ｍｉｎの幅に合わせた状態を表す図である。
Ｙ方向において左側平カム２４ａは、左側排紙ガイド部材２１ａの位置よりも内側に設けられ、右側平カム２４ｂは、右側排紙ガイド部材２１ｂの位置よりも内側に設けられている。したがって、図７（ａ）に示すように、左側排紙ガイド部材２１ａ、右側排紙ガイド部材２１ｂを最大幅の記録紙８ｍａｘに合わせて移動させると、左側平カム２４ａ及び右側平カム２４ｂのそれぞれが、Ｙ方向において両端側の吸引孔列２２ｃに対応する位置に配置される。
また、図７（ａ）に示す状態から左側排紙ガイド部材２１ａ、右側排紙ガイド部材２１ｂを動かした場合、その移動量に応じて排紙ピニオン２１ｅを回転させる。すると、排紙ピニオン２１ｅとともに排紙ガイド連動ギヤ２１ｇが回転し、タイミングベルト２５を通じて開閉連動ギヤ２４ｇが連動して回転する。さらに、開閉連動ギヤ２４ｇの回転によって、開閉連動ギヤ２４ｇとともに開閉ピニオン２４ｅが連動して回転する。
すると、図７（ｂ）に示すように、開閉ピニオン２４ｅに係合している左側開閉ラック２４ｃ及び右側開閉ラック２４ｄは、排紙ガイド２１の動きに合わせて移動する。そのため、左側開閉ラック２４ｃ及び右側開閉ラック２４ｄに設けられた左側平カム２４ａ及び右側平カム２４ｂが、左側排紙ガイド部材２１ａ及び右側ガイド部材５ｂの移動に伴い移動する。これにより、左側平カム２４ａ及び右側平カム２４ｂは、吸引孔蓋が設けられていない中央側に移動する。
【００６７】
Ｙ方向における左側排紙ガイド部材２１ａの位置から右側排紙ガイド部材２１ｂの位置までの領域は記録紙８ａの通過領域であり、左側平カム２４ａと右側平カム２４ｂとは、常に記録紙８ａが通過する領域に配置されることになる。したがって、左側平カム２４ａ及び右側平カム２４ｂと接触する吸引孔蓋２３ａ，２３ｂを動作させて、最大幅の記録紙８ｍａｘに対応した吸引状態と、左側平カム２４ａ及び右側平カム２４ｂと吸引孔蓋２３ａ，２３ｂとを接触させないで、最小幅の記録紙８ｍｉｎに対応した吸引状態とに切り替えることができる。また、最大幅と最小幅の間の幅を有する記録紙８ａに対応した吸引状態とすることができる。
【００６８】
次に、左側平カム２４ａあるいは右側平カム２４ｂの移動に伴う左側吸引孔蓋２３ａあるいは右側吸引孔蓋２３ｂの開閉についての動作の説明をＳ１−Ｓ１の位置に配置された左側吸引孔蓋２３ａを例に挙げて説明する。
図８（ａ）は、図４におけるＳ１−Ｓ１の位置に配置された左側吸引孔蓋２３ａの開放状態を表す図である。図８（ｂ）は、図４（ａ）におけるＳ１−Ｓ１の位置に配置された左側吸引孔蓋２３ａの閉塞状態を表す図である。
【００６９】
左側吸引孔蓋２３ａが図８（ａ）に示す開放状態から図８（ｂ）に示す閉塞状態に移行する際の動作の説明を行う。図８（ａ）に示すように、開放状態の左側吸引孔蓋２３ａは、左側平カム２４ａによって受動部２３ａ2が押し上げられ、吸引孔閉塞部２３ａ1が吸引孔列２２ｃを塞がない第１の位置にいる状態である。
この状態から、左側平カム２４ａが移動して受動部２３ａ2との接触がなくなる位置では、左側吸引孔蓋２３ａの受動部２３ａ2に加えられていた受動部２３ａ2を押し上げる力がなくなる。すると、左側吸引孔蓋２３ａは、弾性部材２３ａ5の弾性力により、プラテン面２２ａと対向するプラテン２２の内壁側に引っ張られて、吸引孔蓋固定軸２２ｄを回転軸として図面上で反時計回りに回転する。そのため、左側吸引孔蓋２３ａが反時計回りに回転することで、図８（ｂ）に示すように吸引孔閉塞部２３ａ1は吸引孔列２２ｃを塞ぐ第２の位置に移動する。
【００７０】
次に、左側吸引孔蓋２３ａが図８（ｂ）に示す閉塞状態から図８（ａ）に示す開放状態に移行する際の動作の説明を行う。図８（ｂ）に示すように、閉塞状態の吸引孔蓋２３ａは、受動部２３ａ2が左側開閉ラック２４ｃの上面と接触しており、吸引孔閉塞部２３ａ1が第２の位置にある状態である。
この状態から左側平カム２４ａが左側吸引孔蓋２３ａの受動部２３ａ2と接触する位置に移動すると、図８（ａ）に示すように、受動部２３ａ2は左側平カム２４ａの上面によって押し上げられる。すると、左側吸引孔蓋２３ａは、吸引孔蓋固定軸２２ｄを回転軸として図面上で時計回りに回転しながら押し下げられ、吸引孔閉塞部２３ａ1が第１の位置に移動し、吸引孔列２２ｃを開放する。
なお、左側平カム２４ａによる図４のＳ１−Ｓ１線の位置に配置された左側吸引孔蓋２３ａの開閉動作を例に挙げて、左側吸引孔蓋２３ａの開閉動作についての説明を行ったが、右側吸引孔蓋２３ｂについても同様の開閉動作を行う。
【００７１】
したがって、各排紙ガイド部材２１ａ，２１ｂの記録紙８ａの両端への移動に伴い。左側平カム２４ａあるいは右側平カム２４ｂを記録紙８ａの通過領域に移動させ、各吸引孔蓋２３の開閉状態を切り替えることで、記録紙８ａの幅に適した吸引孔２２ｂの開閉状態にすることができる。
【００７２】
以上述べたように、本実施形態に係るロール紙プリンター１によれば、以下の効果を得ることができる。
本実施形態に係るロール紙プリンター１によれば、吸引プラテン機構２０は、左側排紙ガイド部材２１ａと右側排紙ガイド部材２１ｂの移動に伴い、左側平カム２４ａと右側平カム２４ｂとを記録紙８ａが通過する領域に移動させる。移動させられた左側平カム２４ａと右側平カム２４ｂとが各吸引孔蓋２３の受動部２３ａ2，２３ｂ2と接触する。これにより、記録紙８ａが通過する領域に配置された吸引孔蓋２３は開放状態になる。また、左側平カム２４ａと右側平カム２４ｂとが各吸引孔蓋２３の受動部２３ａ2，２３ｂ2と接触しない場合、記録紙８ａが通過しない領域に配置された吸引孔蓋２３は閉塞状態になる。そのため、左側排紙ガイド部材２１ａと右側排紙ガイド部材２１ｂとを記録紙８ａの両端に合わせるだけでプラテン面２２ａに設けられた吸引孔２２ｂの開閉状態を記録紙８ａの幅に合った状態にすることができ、特許文献１に記載の吸引プラテン機構のような吸引圧力の損失を防ぐことができる。
【００７３】
また、吸引孔蓋２３ａ，２３ｂは、プラテン面２２ａに設けられた複数の吸引孔２２ｂのうち、最小幅の記録紙８ｍｉｎが通過する領域Ｍ以外の幅方向における両端側に配置された吸引孔列２２ｃに対応して設けられている。したがって、すべての吸引孔２２ｂの開閉状態を切り替える必要がないので、特許文献２に記載の開閉装置に比べて吸引孔２２ｂの開閉に必要な部品点数を減らすことができ、小型なロール紙プリンター１を実現できる。
【００７４】
また、本実施形態に係るロール紙プリンター１によれば、吸引プラテン機構２０は、ラックアンドピニオン構造を有する排紙ガイド２１と吸引孔蓋動作手段２４のピニオンとの間に連動部材としてのタイミングベルト２５が架け渡されている。つまり、ガイド部材２１ａ，２１ｂの幅方向における移動に対して機械的に連動して吸引孔２２ｂの開閉動作を行う。そのため、ユーザーが記録紙８ａに合わせて排紙ガイド２１のガイド部材２１ａ，２１ｂを動かすだけで吸引孔２２ｂの開閉状態をロール紙８の幅に合った状態にできる。したがって、特許文献２に記載の印刷装置のような吸引孔の開閉に係るモーターやセンサーなどの駆動に伴う消費電力の増加や吸引孔の開閉制御フローの追加に伴う印刷装置全体の制御フローの複雑化を防ぐことができる。
【００７５】
また、本実施形態に係るロール紙プリンター１によれば、吸引プラテン機構２０はＸ方向において、プラテン２２の前方に配置されている排紙ガイド２１と連動して吸引孔２２ｂの開閉動作を行う。そのため、ロール紙収納部７にセットしたロール紙８の一部を排紙ガイド２１まで引き出して記録紙８ａの幅に合わせて排紙ガイド２１のガイド部材２１ａ，２１ｂの位置を調整すれば、ロール紙８をセットする度に、吸引孔２２ｂの開閉状態を記録紙８ａ（ロール紙８）の幅に適したものにできる。
【００７６】
（実施形態２）
次に実施形態２の吸引プラテン機構とこれに適用したロール紙プリンターについて説明を行う。
本実施形態は、実施形態１で説明したロール紙プリンター１に吸引プラテン機構３０を適用したものである。
図９は、実施形態２に係るロール紙プリンター１の吸引プラテン機構３０の構造を示す上面図である。図１０（ａ）は、実施形態２に係るロール紙プリンター１の吸引プラテン機構３０の構造を示すＳ３−Ｓ３線に沿った側面図である。図１０（ｂ）は、実施形態２に係るロール紙プリンター１の吸引プラテン機構３０の構造を示すＦ２−Ｆ２線に沿った正面図である。なお、図１０（ａ）はＳ３−Ｓ３線に沿った構成とこれに関連する構成とを含めた側面図である。
本実施形態に係るロール紙プリンター１の吸引プラテン機構３０について、これらの図を参照して説明する。なお、実施形態１と同一の構成部位については、同一の番号を使用し、重複する説明は省略する。
【００７７】
図９に示すように、吸引プラテン機構３０は、排紙ガイド２１、プラテン２２、吸引孔蓋３３、カムシャフト駆動手段３４、タイミングベルト２５などから構成される。
吸引孔開閉部材としての吸引孔蓋３３は、図９に示すように、記録紙８ｍｉｎが通過する領域Ｍを除くＹ方向の両端側に配列された吸引孔列２２ｃに対して吸引孔蓋３３が設けられている。また、図１０（ａ）に示すように、吸引孔蓋３３は、直方体形状をしており、プラテン２２の内部に設けられた吸引孔蓋固定軸２２ｄに沿ってＹ方向における吸引孔列２２ｃの位置毎に、Ｘ方向における上流側の端を中心として回転可能に固定されている。また、吸引孔蓋３３は、吸引孔列２２ｃを構成する複数の吸引孔２２ｂの位置に合わせて吸引孔列２２ｃと対向する上面に凸部３３ａを有しており、下面のＸ方向において略中央の部分がカムシャフト駆動手段３４と接触する構成となっている。
【００７８】
図１０（ｂ）に示すように、吸引孔蓋３３の開閉動作手段であり、且つガイド連動部であるカムシャフト駆動手段３４は、開閉位置移動部材としてのカム３４ａ〜３４ｃ、軸としてのカムシャフト軸３４ｄ、カムシャフト回転ギヤ３４ｅ、カムシャフト駆動ギヤ３４ｆ、カムシャフト連動軸３４ｇ、カムシャフト連動ギヤ３４ｈなどから構成される。
【００７９】
カム３４ａ〜３４ｃは、回転軸であるカムシャフト軸３４ｄに固定されており、各排紙ガイド部材２１ａ，２１ｂが記録紙８ｍａｘの両端の位置から記録紙８ｍｉｎの両端の位置に移動するのに合わせて１回転する。また、カム３４ａ〜３４ｃは、カムシャフト軸３４ｄに沿った方向から見て、第１の半径を有する、４分の１の円、半円、４分の３の円と、第１の半径よりも小さい第２の半径を有する円とを組み合わせた形状（図１２参照）をしている。また、カム３４ａ〜３４ｃは、吸引孔蓋３３の下面と接触する位置に配置されている。
【００８０】
カムシャフト軸３４ｄには、カムシャフト回転ギヤ３４ｅが固定されている。また、カム３４ａ〜３４ｃは、Ｙ方向に配置された各吸引孔蓋３３の位置に対応して、カムシャフト軸３４ｄに固定されており、カムシャフトを構成している。そのため、カムシャフト回転ギヤ３４ｅの回転に同期して、カム３４ａ〜３４ｃが回転する。
【００８１】
カムシャフト回転ギヤ３４ｅは、カムシャフト軸３４ｄと直交するカムシャフト連動軸３４ｇの上端に固定されたカムシャフト駆動ギヤ３４ｆと係合している。カムシャフト回転ギヤ３４ｅとカムシャフト駆動ギヤ３４ｆとは、排紙ガイド部材２１ａ，２１ｂが記録紙８ｍａｘの両端の位置から記録紙８ｍｉｎの両端の位置への移動する際に、カムシャフト軸３４ｄを一回転させられるギヤ比を有したべベルギヤである。
【００８２】
カムシャフト連動軸３４ｇは、下端に排紙ガイド連動ギヤ２１ｇと同じ形状や大きさを有したカムシャフト連動ギヤ３４ｈが固定されている。カムシャフト連動ギヤ３４ｈと排紙連動ギヤ２１ｇとは、タイミングベルト２５によって架け渡されている。そのため、排紙ピニオン２１ｅの回転に同期して排紙ガイド連動ギヤ２１ｇが回転すると、カムシャフト連動ギヤ３４ｈが回転する。
【００８３】
図１１、図１２を参照して実施形態２に係るロール紙プリンター１の吸引プラテン機構３０における吸引孔列２２ｃの開閉動作の概略を説明する。吸引プラテン機構３０における吸引孔列２２ｃの開閉は、各排紙ガイド部材２１ａ，２１ｂの動きに連動してカムシャフト軸３４ｄに設けられたカム３４ａ〜３４ｃを回転させて、吸引孔蓋３３を昇降させることにより行われる。
図１１（ａ）は、図９におけるＳ３−Ｓ３線の位置に配置された吸引孔蓋３３の開放状態側面図である。図１１（ｂ）は、図９におけるＳ３−Ｓ３線の位置に配置された吸引孔蓋３３の閉塞状態を表す側面図である。図１２に示す（ａ）〜（ｄ）は、各排紙ガイド部材２１ａ，２１ｂが図９に示す（１）〜（４）のそれぞれの位置にあるときのカム３４ａ〜３４ｃの状態を示す図である。
【００８４】
まず、カム３４ａ〜３４ｃによる吸引孔蓋３３の昇降動作に伴う吸引孔列２２ｃの開閉について説明を行う。以下、図９におけるＳ３−Ｓ３線の位置に配置された吸引孔蓋３３を例に挙げて説明を行う。
図１１（ａ）に示すように、開放状態の吸引孔蓋３３は、カム３４ａの半径が小さい円と接触して吸引孔列２２ｃ（吸引孔２２ｂ（２２ｂ21〜２２ｂ24））を塞がない第１の位置に配置されている。この状態から、各排紙ガイド部材２１ａ，２１ｂが動かされ、カム３４ａが図面上で時計回りに回転すると、図１１（ｂ）に示すように、吸引孔蓋３３の下面とカム３４ａの半径が大きい円弧とが接触することになる。そのため、吸引孔蓋３３は、カム３４ａによって持ち上げられ、吸引孔蓋固定軸２２ｄを中心として図面上で時計回りに回転し、吸引孔列２２ｃ（吸引孔２２ｂ（２２ｂ21〜２２ｂ24））を塞ぐ第２の位置に移動する。
【００８５】
また、図１１（ｂ）に示すように、閉塞状態の吸引孔蓋３３は、各排紙ガイド部材２１ａ，２１ｂが動かされ、カム３４ａが図面上で反時計回りに回転すると、吸引孔蓋３３と接触する部分が、カム３４ａの半径が大きい円弧から半径の小さい円になる。そのため、吸引孔蓋３３は、吸引孔蓋固定軸２２ｄを中心として図面上で反時計回りに回転して、吸引孔列２２ｃを塞がない第１の位置に移動し、吸引孔２２ｂ（２２ｂ21〜２２ｂ24）を開放する。
【００８６】
なお、カム３４ａによる図９のＳ３−Ｓ３線の位置に配置された吸引孔蓋３３の開閉動作を例に挙げて吸引孔蓋３３の開閉動作についての説明を行ったが、他の吸引孔蓋３３についてもカムの形状に合わせて、同様の開閉動作を行う。
【００８７】
次に、排紙ガイド部材２１ａ，２１ｂが記録紙８ｍａｘの両端の位置である図９の（１）から記録紙８ｍｉｎの両端の位置である図９の（４）に移動する際のカム３４ａ〜３４ｃの動作を説明する。
【００８８】
図１２（ａ）に示すように、各排紙ガイド部材２１ａ，２１ｂが図９の（１）の位置にあるとき、全ての吸引孔列２２ｃを開放するために、カム３４ａ〜３４ｃは、半径が大きい円弧の端部で吸引孔蓋３３と接触している。そのため、吸引孔蓋３３が傾き、プラテン面２２ａ上の全ての吸引孔列２２ｃが開放される。この状態から、各排紙ガイド部材２１ａ，２１ｂを、Ｙ方向において吸引孔列２２ｃの１列分だけ内側にある図９の（２）の位置に移動させるとカム３４ａ〜３４ｃは図面上で時計回りに回転して図１２（ｂ）に示す状態になる。
【００８９】
図１２（ｂ）に示すように、各排紙ガイド部材２１ａ，２１ｂを図９の（２）の位置に移動させると、Ｙ方向において最も外側に配置されているカム３４ｃは、時計回りに回転することで半径が大きい円弧が吸引孔蓋３３に接触し吸引孔蓋３３を押し上げる。そのため、Ｙ方向において各排紙ガイド部材２１ａ，２１ｂより外側に位置する吸引孔列２２ｃが閉塞状態となる。また、カム３４ａ，３４ｂもカム３４ｃと同様に時計回りに回転するが、カム３４ａ，３４ｂの半径が小さい円と吸引孔蓋３３とが接触しているので、対応する吸引孔列２２ｃは開放状態が維持される。この状態から、各排紙ガイド部材２１ａ，２１ｂをさらにＹ方向において吸引孔列２２ｃの１列分だけ内側にある図９の（３）の位置に移動させるとカム３４ａ〜３４ｃはさらに図面上で時計回りに回転して図１２（ｃ）に示す状態になる。
【００９０】
図１２（ｃ）に示すように、各排紙ガイド部材２１ａ，２１ｂを図９の（３）の位置へ移動させると、Ｙ方向において外側から２番目に配置されているカム３４ｂは、さらに時計回りに回転することで半径が大きい円弧が吸引孔蓋３３に接触して吸引孔蓋３３を押し上げる。そのため、Ｙ方向において各排紙ガイド部材２１ａ，２１ｂよりも外側に位置する２つの吸引孔列２２ｃが閉塞状態となる。また、カム３４ａ，カム３４ｃもカム３４ｂと同様に時計回りに回転する。しかし、カム３４ａは、半径が小さい円が吸引孔蓋３３に接触している状態にあるため、対応する吸引孔列２２ｃは開放状態が維持される。また、カム３４ｃは、半径が大きい円弧で吸引孔蓋３３を押し上げた状態であるため、対応する吸引孔列２２ｃの閉塞状態が維持される。この状態から、各排紙ガイド部材２１ａ，２１ｂをさらにＹ方向において吸引孔列２２ｃの１列分内側にある図９の（４）の位置に移動させると、カム３４ａ〜３４ｃはさらに図面上で時計回りに回転して図１２（ｄ）に示す状態になる。
【００９１】
図１２（ｄ）に示すように、各排紙ガイド部材２１ａ，２１ｂを図９の（４）の位置へ移動させると、Ｙ方向において最も内側に配置されているカム３４ａは、さらに時計回りに回転することで半径が大きい円弧で吸引孔蓋３３を押し上げる。また、カム３４ｂ，３４ｃの半径が大きい円弧で対応する吸引孔蓋３３を押し上げた状態が維持されるので、すべての吸引孔蓋３３が閉塞状態になり、記録紙８ｍｉｎが通過する領域Ｍ以外の吸引孔列２２ｃが全て閉塞される。
【００９２】
したがって、各排紙ガイド部材２１ａ，２１ｂの記録紙８ａの両端への移動に伴い、異なる形状のカム３４ａ〜３４ｃが回転して、各吸引孔蓋３３との接触状態を切り替えることで、記録紙８ａの幅に適した吸引孔２２ｂの開閉状態に切り替えることができる。
【００９３】
以上述べたように、本実施形態に係るロール紙プリンター１によれば、実施形態１での効果に加えて、以下の効果を得ることができる。
本実施形態に係るロール紙プリンター１によれば、吸引プラテン機構３０において、吸引孔蓋３３の開閉を切り替えるカムシャフト駆動手段３４は、プラテン面２２ａに設けられた吸引孔列２２ｃの領域に収まるように吸引孔蓋３３の下側に設けられている。そのため、プラテン２２のサイズをプラテン面２２ａに設けられた吸引孔列２２ｃが配置されている領域よりも大きくすることなく吸引孔２２ｂの開閉状態をロール紙８の幅に合った適切なものにすることができる。したがって、さらに小型なロール紙プリンター１を実現することができる。
【００９４】
なお、本発明は上述した実施形態に限定されず、上述した実施形態に種々の変更や改良などを加えることが可能である。変形例を以下に述べる。
【００９５】
（変形例１）
図１３は、変形例１に係る吸引プラテン機構４０の構造を表す図である。
上記実施形態１では、図４のように、排紙ガイド２１と吸引孔蓋動作手段２４との間にタイミングベルト２５を架け渡し、排紙ガイド２１と吸引孔蓋動作手段２４とを機械的に連動させる構成であると説明したが、この構成に限定されるものではない。
以下、変形例１に係るロール紙プリンター１の吸引プラテン機構４０について説明する。なお、実施形態１と同一の構成部位については、同一の番号を附し、重複する説明は省略する。
【００９６】
図１３に示すように、左側排紙ラック２１ｃと左側開閉ラック２４ｃとの間及び、右側排紙ラック２１ｄと右側開閉ラック２４ｄとの間に棒状の連結部材（棒状部材）４５が設けられている。そのため、左側排紙ラック２１ｃを動かすと左側開閉ラック２４ｃが、右側排紙ラック２１ｄを動かすと右側開閉ラック２４ｄが同期して動き、各吸引孔蓋２３ａ，２３ｂによる吸引孔列２２ｃの開閉動作が行われる。
【００９７】
以上述べたように、変形例１に係るロール紙プリンター１によれば、実施形態１での効果に加えて、以下の効果を得ることができる。
本変形例に係るロール紙プリンター１によれば、左側排紙ラック２１ｃと左側開閉ラック２４ｃ、右側排紙ラック２１ｄと右側開閉ラック２４ｄとの間に連結部材４５を設け、排紙ガイド２１と吸引孔蓋動作手段２４との連動を行うように構成した。そのため、両者の連動に必要であった排紙回転軸２１ｆ、排紙連動ギヤ２１ｇ、開閉回転軸２４ｆ、開閉連動ギヤ２４ｇ、タイミングベルト２５を使わずに吸引孔２２ｂの開閉を行うことができる。したがって、より部品点数を削減し、小型のロール紙プリンター１を実現することができる。
【００９８】
（変形例２）
上記実施形態及び変形例では、排紙ガイド部材２１ａ，２１ｂの移動に伴い吸引孔列２２ｃの開閉を行う吸引プラテン機構の構成について説明したが、本発明はこれに限定されるものではない。例えば、記録紙の搬送方向の上流に設けられた給紙ガイドが備える給紙ガイド部材の移動に伴って吸引孔列２２ｃの開閉状態を切り替えてもよい。このようにすれば、記録紙を搬送方向の上流から供給するプリンターにおいても、給紙を行う度に、給紙した記録紙の幅にあった適切な吸引孔２２ｂの開閉状態にすることができる。
【００９９】
（変形例３）
上記実施形態及び変形例では、排紙ガイド部材２１ａ，２１ｂを印刷可能な記録紙の両端に合わせて移動させ、排紙ガイド部材２１ａ，２１ｂの位置に応じて吸引孔列２２ｃの開閉を行う構成について説明したが、本発明はこれに限定されるものではない。例えば、プラテン面２２ａにＸ方向に沿って固定され、記録紙８ａのＹ方向における片方の端をガイドするガイド壁と、ガイド壁から記録紙の幅に合わせてＹ方向に移動できるガイド部材の動きに連動して吸引孔２２ｂの開閉状態を切り替えてもよい。このようにしても、上記同様の効果を得ることができる。つまり、幅方向に移動可能なガイド部材は２つに限定されず、１つでもよい。
【０１００】
（変形例４）
上記実施形態及び変形例では、吸引ファンの駆動により形成される一定の吸引力で記録紙８ａを吸引する構成で説明したが、吸引孔列２２ｃの開閉状態に応じて、吸引ファンの駆動により形成される吸引力を調整してもよい。このようにすれば、搬送する記録紙８ａの幅に合わせて適切な吸引力で記録紙８ａの吸引を行うことができる。したがって、記録紙８ａの幅毎に吸引ファンの駆動に必要な消費電力を必要最小限に抑えることができ、ロール紙プリンター１全体の消費電力をさらに小さくすることができる。
【符号の説明】
【０１０１】
１…ロール紙プリンター、２…プリンター本体、３…開閉蓋、４…記録紙排出口、５…蓋開閉レバー、６…プリンター本体フレーム、７…ロール紙収納部、８…ロール紙、８ａ…記録紙、８ｍａｘ…印刷可能な最大幅の記録紙、８ｍｉｎ…印刷可能な最小幅の記録紙、９…ヘッドユニットフレーム、１０…キャリッジガイド軸、１１…インクジェットヘッド、１２…キャリッジ、１３…テンションガイド、１４…紙送りローラー、１５…紙押さえローラー、１６…前側紙送りローラー、１７…前側紙押さえローラー、１８…繰り出しローラー、１９…紙押さえローラー、２０…実施形態１の吸引プラテン機構、２１…排紙ガイド、２１ａ…左側排紙ガイド部材、２１ｂ…右側排紙ガイド部材、２１ｃ…左側排紙ラック、２１ｄ…右側排紙ラック、２１ｅ…排紙ピニオン、２１ｆ…排紙回転軸、２１ｇ…排紙連動ギヤ、２２…プラテン、２２ａ…プラテン面、２２ｂ…吸引孔、２２ｃ…吸引孔列、２２ｄ…吸引孔蓋固定軸、２３…吸引孔蓋、２３ａ…左側吸引孔蓋、２３ａ1…吸引孔閉塞部、２３ａ2…受動部、２３ａ3…連結部、２３ａ4…凸部、２３ａ5…弾性部材、２３ｂ…右側吸引孔蓋、２３ｂ1…吸引孔閉塞部、２３ｂ2…受動部、２３ｂ3…連結部、２３ｂ4…凸部、２３ｂ5…弾性部材、２４…吸引孔蓋動作手段、２４ａ…左側平カム、２４ｂ…右側平カム、２４ｃ…左側開閉ラック、２４ｄ…右側開閉ラック、２４ｅ…開閉ピニオン、２４ｆ…開閉回転軸、２４ｇ…開閉連動ギヤ、２５…タイミングベルト、３０…実施形態２の吸引プラテン機構、３３…吸引孔蓋、３３ａ…凸部、３４…カムシャフト駆動手段、３４ａ〜３４ｃ…カム、３４ｄ…カムシャフト軸、３４ｅ…カムシャフト回転ギヤ、３４ｆ…カムシャフト駆動ギヤ、３４ｇ…カムシャフト連動軸、３４ｈ…カムシャフト連動ギヤ、４０…変形例１の吸引プラテン機構、４５…連結部材（棒状部材）。
【図１】
2015131457.tif 000003
【図２】
2015131457.tif 000004
【図３】
2015131457.tif 000005
【図４】
2015131457.tif 000006
【図５】
2015131457.tif 000007
【図６】
2015131457.tif 000008
【図７】
2015131457.tif 000009
【図８】
2015131457.tif 000010
【図９】
2015131457.tif 000011
【図１０】
2015131457.tif 000012
【図１１】
2015131457.tif 000013
【図１２】
2015131457.tif 000014
【図１３】
2015131457.tif 000015